(57)【要約】【課題】回路遮断を適正に行うことができるヒュージブルリンクユニットを提供することを目的とする。【解決手段】ヒュージブルリンクユニット１は、過電流により溶断する可溶体２０を有するユニット本体２と、ユニット本体２に形成され可溶体２０を収容する収容空間部２３ａ、及び、当該収容空間部２３ａに収容された可溶体２０を覆うカバー部材３とを備え、カバー部材３は、可溶体２０が溶断した際に発生するガスを排出する排気機構３０を有することを特徴とする。この結果、ヒュージブルリンクユニット１は、回路遮断を適正に行うことができる、という効果を奏する。【選択図】図７
2020047415.tif 000002
【特許請求の範囲】
【請求項１】
過電流により溶断する可溶体を有するユニット本体と、
前記ユニット本体に形成された収容空間部、及び、当該収容空間部に収容された前記可溶体を覆うカバー部材とを備え、
前記カバー部材は、前記可溶体が溶断した際に発生するガスを排出する排気機構を有することを特徴とする、
ヒュージブルリンクユニット。
【請求項２】
前記排気機構は、前記カバー部材の本体部に形成された開口部、前記開口部を閉鎖可能である可動部、及び、前記本体部に対して前記可動部を回動可能に支持するヒンジ部を含んで構成され、前記収容空間部内で前記可溶体が溶断する際に発生するガスの圧力によって、前記可動部を、当該可動部により前記開口部を閉鎖する閉鎖位置から当該可動部により前記開口部を開放する開放位置に回動させる、
請求項１に記載のヒュージブルリンクユニット。
【請求項３】
前記排気機構は、前記収容空間部内で前記可溶体が溶断する際に発生するガスによって前記可動部に作用する圧力より小さな係止力で前記可動部を前記閉鎖位置に係止する係止部を含む、
請求項２に記載のヒュージブルリンクユニット。
【請求項４】
前記排気機構は、前記カバー部材の本体部に形成され、前記収容空間部の内外を連通するスリットを含んで構成される、
請求項１乃至請求項３のいずれか１項に記載のヒュージブルリンクユニット。
【発明の詳細な説明】
【技術分野】
【０００１】
本発明は、ヒュージブルリンクユニットに関する。
【背景技術】
【０００２】
車両等に適用される従来のヒュージブルリンクユニットに関連する技術として、例えば、特許文献１には、バッテリ端子を有するヒューズユニットが開示されている。ヒューズユニットは、バッテリにおける端子取付け面から突出した棒状電極であるバッテリポストに直に取り付けられるものであり、バッテリ端子とヒュージブルリンクとを有している。
【先行技術文献】
【特許文献】
【０００３】
【特許文献１】特開２０１７−１０７８７０号公報
【発明の概要】
【発明が解決しようとする課題】
【０００４】
ところで、上述の特許文献１に記載のヒューズユニットは、可溶体を収容する空間部がカバーによって覆われているが、例えば、可溶体が高電圧の過電流で溶断した場合であっても適正に回路遮断できることが望まれている。
【０００５】
本発明は、上記の事情に鑑みてなされたものであって、回路遮断を適正に行うことができるヒュージブルリンクユニットを提供することを目的とする。
【課題を解決するための手段】
【０００６】
上記目的を達成するために、本発明に係るヒュージブルリンクユニットは、過電流により溶断する可溶体を有するユニット本体と、前記ユニット本体に形成された収容空間部、及び、当該収容空間部に収容された前記可溶体を覆うカバー部材とを備え、前記カバー部材は、前記可溶体が溶断した際に発生するガスを排出する排気機構を有することを特徴とする。
【０００７】
また、上記ヒュージブルリンクユニットでは、前記排気機構は、前記カバー部材の本体部に形成された開口部、前記開口部を閉鎖可能である可動部、及び、前記本体部に対して前記可動部を回動可能に支持するヒンジ部を含んで構成され、前記収容空間部内で前記可溶体が溶断する際に発生するガスの圧力によって、前記可動部を、当該可動部により前記開口部を閉鎖する閉鎖位置から当該可動部により前記開口部を開放する開放位置に回動させるものとすることができる。
【０００８】
また、上記ヒュージブルリンクユニットでは、前記排気機構は、前記収容空間部内で前記可溶体が溶断する際に発生するガスによって前記可動部に作用する圧力より小さな係止力で前記可動部を前記閉鎖位置に係止する係止部を含むものとすることができる。
【０００９】
また、上記ヒュージブルリンクユニットでは、前記排気機構は、前記カバー部材の本体部に形成され、前記収容空間部の内外を連通するスリットを含んで構成されるものとすることができる。
【発明の効果】
【００１０】
本発明に係るヒュージブルリンクユニットは、カバー部材によって、ユニット本体に形成された収容空間部、及び、当該収容空間部に収容された可溶体を覆い、当該可溶体を保護することができる。そして、ヒュージブルリンクユニットは、カバー部材に設けられた排気機構によって、可溶体が溶断した際に発生するガスを速やかに収容空間部の外に排出することができるので、当該発生したガスに起因する回路遮断の遅延を抑制するこができる。この結果、ヒュージブルリンクユニットは、回路遮断を適正に行うことができる、という効果を奏する。
【図面の簡単な説明】
【００１１】
【図１】図１は、実施形態１に係るヒュージブルリンクユニットが組み付けられたバッテリの概略構成を表す斜視図である。
【図２】図２は、実施形態１に係るヒュージブルリンクユニットが組み付けられたバッテリの概略構成を表す分解斜視図である。
【図３】図３は、実施形態１に係るヒュージブルリンクユニットの概略構成を表す斜視図である。
【図４】図４は、実施形態１に係るヒュージブルリンクユニットの概略構成を表す分解斜視図である。
【図５】図５は、実施形態１に係るヒュージブルリンクユニットが備える排気機構の可動部が閉鎖位置にある状態を表す断面斜視図である。
【図６】図６は、実施形態１に係るヒュージブルリンクユニットが備える排気機構の可動部が開放位置にある状態を表す斜視図である。
【図７】図７は、実施形態１に係るヒュージブルリンクユニットが備える排気機構の可動部が開放位置にある状態を表す断面斜視図である。
【図８】図８は、実施形態２に係るヒュージブルリンクユニットの概略構成を表す斜視図である。
【図９】図９は、実施形態２に係るヒュージブルリンクユニットの概略構成を表す断面斜視図である。
【発明を実施するための形態】
【００１２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１３】
［実施形態１］
図１、図２、図３、図４に示す本実施形態に係るヒュージブルリンクユニット（以下、「ＦＬ（Ｆｕｓｉｂｌｅ  Ｌｉｎｋ）ユニット」という場合がある。）１は、車両等に搭載されるバッテリ１００に組み付けられ、電装回路の過電流保護に用いられるものである。ここで、バッテリ１００は、例えば、車両等に蓄電装置として搭載されるものである。バッテリ１００は、バッテリ筐体１０１、バッテリポスト１０２を含んで構成される。バッテリ筐体１０１は、筐体本体１０３及び蓋部材１０４によって全体として略直方体形状に形成され、内部にバッテリ液や種々の構成部品を収容する。バッテリポスト１０２は、蓋部材１０４から突出して設けられる。バッテリポスト１０２は、導電性を有する鉛等によって略円柱状に形成される。バッテリポスト１０２は、蓋部材１０４に一対で設けられ、一方がバッテリ１００の陽極、他方がバッテリ１００の陰極を構成する。
【００１４】
本実施形態のＦＬユニット１は、陽極側のバッテリポスト１０２に組み付けられる。ＦＬユニット１は、バッテリ端子１０５を介して当該バッテリポスト１０２に電気的に接続される。バッテリ端子１０５は、導電性を有する金属材料によって形成された中間接続端子であり、バッテリポスト１０２とＦＬユニット１との間に介在し相互に電気的に接続する。バッテリ端子１０５は、締結部１０５ａ、スタッドボルト１０５ｂ、及び、ナット１０５ｃを有する。バッテリ端子１０５は、締結部１０５ａがバッテリポスト１０２に締結されると共に、スタッドボルト１０５ｂにナット１０５ｃを介して当該ＦＬユニット１が締結される。
【００１５】
そして、本実施形態のＦＬユニット１は、収容空間部２３ａに位置する可溶体２０を保護するカバー部材３に排気機構３０が設けられることで、遅延の少ない適正な回路遮断を実現したものである。以下、各図を参照してＦＬユニット１の構成について詳細に説明する。
【００１６】
なお、以下の説明では、バッテリポスト１０２の中心軸線Ｃに沿った方向を軸線方向Ｘという。またここでは、以下の説明を分かり易くするために、便宜的に当該軸線方向Ｘと直交する２方向のうち一方を第１幅方向Ｙといい、他方を第２幅方向Ｚという。軸線方向Ｘと第１幅方向Ｙと第２幅方向Ｚは、互いに直交（交差）する。典型的には、軸線方向Ｘは、バッテリ１００が車両等に搭載された状態で、鉛直方向に沿った方向となる。また、バッテリ筐体１０１は、第１幅方向Ｙが長辺方向、第２幅方向Ｚが短辺方向となる。また、一対のバッテリポスト１０２は、第１幅方向Ｙに沿って間隔をあけて設けられる。以下の説明で用いる各方向は、特に断りのない限り、各部が相互に組み付けられた状態での方向を表すものとする。
【００１７】
具体的には、ＦＬユニット１は、ユニット本体２と、カバー部材３とを備る。
【００１８】
ユニット本体２は、過電流により溶断する可溶体２０を有し、バッテリ端子１０５と接続され過電流が流れたときに可溶体２０が溶断するものである。本実施形態のユニット本体２は、可溶体２０が設けられたバスバ回路体２１と、バスバ回路体２１に連接されたスタッドボルト２２と、バスバ回路体２１、スタッドボルト２２を保持する樹脂製のハウジング（ブロック）２３とを含んで構成される。バスバ回路体２１、スタッドボルト２２は、導電性を有する金属材料によって形成される。ハウジング２３は、絶縁性を有する樹脂材料によって形成される。バスバ回路体２１、スタッドボルト２２は、一部が外部に露出した状態でハウジング２３の内部に埋設される。ユニット本体２は、例えば、インサート成形等によってハウジング２３の内部にバスバ回路体２１、スタッドボルト２２が埋設され一体化される。ユニット本体２は、蓋部材１０４上に設けられ、蓋部材１０４においてバッテリポスト１０２が設けられた面（典型的には鉛直方向上面）に沿って位置する。ユニット本体２は、全体として略矩形板状に形成され、第１幅方向Ｙ、及び、第２幅方向Ｚに沿って延在する。
【００１９】
バスバ回路体２１は、電装回路の一部を構成する。バスバ回路体２１は、導電性を有する板状の導体であり、金属バスバによって構成される。バスバ回路体２１は、軸線方向Ｘに沿って貫通する締結孔２１ａ、２１ｂを有する。締結孔２１ａは、バッテリ端子１０５のスタッドボルト１０５ｂが軸線方向Ｘに沿って挿入される。スタッドボルト１０５ｂは、締結孔２１ａに挿入された状態で上述のようにナット１０５ｃによってバスバ回路体２１が締結され相互に導通される。締結孔２１ｂは、スタッドボルト２２が軸線方向Ｘに沿って挿入される。スタッドボルト２２は、締結孔２１ｂに挿入された状態でナット（不図示）によってバスバ回路体２１と共に接続端子（不図示）が共締めされ相互に導通される。スタッドボルト２２は、例えば、当該接続端子や電線等を介して負荷機器に電気的に接続される。バスバ回路体２１は、例えば、スタッドボルト１０５ｂとスタッドボルト２２とを接続する回路等を含んで構成される。そして、バスバ回路体２１は、当該回路中に可溶体２０が設けられる。
【００２０】
可溶体２０は、過電流が流れたときに溶断する溶断部を構成するものである。可溶体２０は、例えば、バスバ回路体２１において幅を狭めた帯状の導電部に低融点金属チップを加締めた上で溶着させた構成で、過電流が流れたときに溶断し該当する電流経路を遮断する。ここで、可溶体２０の過電流とは、例えば、予め設定された定格以上の電流である。つまり、可溶体２０は、予め設定された定格以上の電流が流れたときに溶断する。可溶体２０の定格電流は、保護する回路の電流に合わせてそれぞれ決められる。ここでは、可溶体２０は、スタッドボルト１０５ｂとスタッドボルト２２とを接続する回路中に設けられる。可溶体２０は、ハウジング２３に形成された収容空間部２３ａ内に位置する。収容空間部２３ａは、ハウジング２３に形成され、軸線方向Ｘの両側の開口した空間部であり、可溶体２０を収容する。ここでは、収容空間部２３ａは、ハウジング２３の角部近傍に形成される。可溶体２０は、当該収容空間部２３ａの開口を介して軸線方向Ｘの両側に対して露出する。可溶体２０は、収容空間部２３ａにカバー部材３が組み付けられることで、軸線方向Ｘの両側が覆われ、保護される。
【００２１】
カバー部材３は、ハウジング２３の収容空間部２３ａに組み付けられ、収容空間部２３ａ、及び、当該収容空間部２３ａに収容された可溶体２０を覆い保護する部材である。本実施形態のカバー部材３は、略Ｕ字型形状（略コの字型形状）に形成される。カバー部材３は、収容空間部２３ａに組み付けられることで、収容空間部２３ａの軸線方向Ｘの両側の開口を閉鎖する。これにより、カバー部材３は、収容空間部２３ａ、可溶体２０の軸線方向Ｘの両側を覆い、保護する。カバー部材３は、可溶体２０に異物が付着したり指や他の部材が接触したりすることを防止し、可溶体２０の変形、損傷を防止する。また、カバー部材３は、可溶体２０が過電流により溶断した際の飛散を防止する。カバー部材３は、例えば、収容空間部２３ａ内の可溶体２０を視認可能なように透明／半透明の樹脂材料によって形成される。
【００２２】
カバー部材３は、略Ｕ字型形状の両端部に係止部３ａ、３ｂが形成されている。係止部３ａ、３ｂは、ハウジング２３の係止爪部２３ｂ、２３ｃに係止される部分である（図５、図７等も参照）。係止爪部２３ｂ、２３ｃは、ハウジング２３において、収容空間部２３ａの縁部端部に形成される。係止爪部２３ｂは、収容空間部２３ａの軸線方向Ｘの一方側の開口の縁部端部に形成される。係止爪部２３ｃは、収容空間部２３ａの軸線方向Ｘの他方側の開口の縁部端部に形成される。係止爪部２３ｂ、２３ｃは、それぞれ縁部端部から軸線方向Ｘに沿って突状に突出して形成される。係止部３ａ、３ｂは、係止爪部２３ｂ、２３ｃに係止可能な略Ｕ字型形状（略コの字型形状）の引っ掛け部として形成される。
【００２３】
さらに、カバー部材３は、略Ｕ字型形状の基部（Ｕ字の根元の部分）にも係止部３ｃが形成されている（図５、図７等も参照）。係止部３ｃは、ハウジング２３の係止爪部２３ｄに係止される部分である。係止爪部２３ｄは、ハウジング２３において、収容空間部２３ａを区画する梁状部２３ｅに形成される。梁状部２３ｅは、ハウジング２３において第１幅方向Ｙに沿って延在する梁状の部分である。係止爪部２３ｄは、梁状部２３ｅの軸線方向Ｘの両側に一対で設けられる。各係止爪部２３ｂ、２３ｃは、それぞれ梁状部２３ｅから軸線方向Ｘに沿って突状に突出して形成される。係止部３ｃは、一対の係止爪部２３ｄに対応して一対で設けられる。各係止部３ｃは、各係止爪部２３ｄに係止可能な略Ｕ字型形状（略コの字型形状）の引っ掛け部として形成される。
【００２４】
カバー部材３は、収容空間部２３ａの軸線方向Ｘの両側の開口を閉鎖するような位置関係で収容空間部２３ａに組み付けられた状態で、係止部３ａが係止爪部２３ｂに係止され、係止部３ｂが係止爪部２３ｃに係止され、一対の係止部３ｃが各係止爪部２３ｄに係止される。これにより、カバー部材３は、ハウジング２３に組み付けられ係止される。
【００２５】
そして、本実施形態のカバー部材３は、図３、図４、図５、図６、図７に示すように、排気機構３０を有する。排気機構３０は、収容空間部２３ａ内で可溶体２０が溶断した際に発生するガスを排出する機構である。
【００２６】
より詳細には、本実施形態のカバー部材３は、上述した係止部３ａ、３ｂ、３ｃに加えて、本体部３ｄと、開口部３ｅと、可動部３ｆと、ヒンジ部３ｇとを含んで構成される。カバー部材３は、これらが一体で形成され、上述したように、全体として略Ｕ字型形状（略コの字型形状）に形成される。そして、カバー部材３は、開口部３ｅ、可動部３ｆ、ヒンジ部３ｇ、及び、係止部３ａが排気機構３０を構成する。
【００２７】
本体部３ｄは、収容空間部２３ａ、及び、当該収容空間部２３ａに収容された可溶体２０を覆い保護するための主たる部分である。本体部３ｄは、カバー部材３がハウジング２３に係止され組み付けられた状態で、ハウジング２３に対して不動となる部分（相対移動しない部分）である。本体部３ｄは、第１閉鎖部３ｄａ、第２閉鎖部３ｄｂ、連結部３ｄｃを含んで構成され、全体として略Ｊ字型形状に形成される。第１閉鎖部３ｄａは、収容空間部２３ａの軸線方向Ｘの一方側（係止爪部２３ｃが位置する側）の開口の全体を閉鎖する部位であり、略矩形板状に形成される。第２閉鎖部３ｄｂは、収容空間部２３ａの軸線方向Ｘの他方側（係止爪部２３ｂが位置する側）の開口の一部を閉鎖する部位であり、略矩形板状に形成される。第１閉鎖部３ｄａ、第２閉鎖部３ｄｂは、第２幅方向Ｚに沿って延在する。そして、第２閉鎖部３ｄｂは、第２幅方向Ｚに沿った長さが第１閉鎖部３ｄａより短く形成されており、これにより、第２閉鎖部３ｄｂに隣接して開口部３ｅが形成される。連結部３ｄｃは、第１閉鎖部３ｄａと第２閉鎖部３ｄｂとを連結する部位であり、略矩形板状に形成される。連結部３ｄｃは、軸線方向Ｘに沿って延在する。連結部３ｄｃは、第１閉鎖部３ｄａの第２幅方向Ｚの一方の端部と、第２閉鎖部３ｄｂの第２幅方向Ｚの一方の端部（開口部３ｅ側とは反対側の端部）とを連結する。連結部３ｄｃは、カバー部材３がハウジング２３に組み付けられた状態で、第２幅方向Ｚに沿って梁状部２３ｅと対向して位置する。本体部３ｄは、第１閉鎖部３ｄａの連結部３ｄｃ側とは反対側の端部に上述の係止部３ｂが形成され、連結部３ｄｃに上述の一対の係止部３ｃが形成される。
【００２８】
開口部３ｅは、本体部３ｄに形成され、カバー部材３がハウジング２３に組み付けられた状態でも、収容空間部２３ａの内外を連通可能とする部分である。開口部３ｅは、上述したように、第２閉鎖部３ｄｂの第２幅方向Ｚに沿った長さが第１閉鎖部３ｄａより短く形成されることで、第２閉鎖部３ｄｂの連結部３ｄｃ側とは反対側の端部に隣接して形成される。開口部３ｅは、略矩形状に形成される。
【００２９】
可動部３ｆは、開口部３ｅを閉鎖可能な部位であり、略矩形板状に形成される。可動部３ｆは、ヒンジ部３ｇを介して本体部３ｄの第２閉鎖部３ｄｂと連接して形成される。可動部３ｆは、第２閉鎖部３ｄｂの連結部３ｄｃ側とは反対側の端部にヒンジ部３ｇを介して支持される。可動部３ｆは、第２閉鎖部３ｄｂ側とは反対側の端部に上述の係止部３ａが形成される。
【００３０】
ヒンジ部３ｇは、本体部３ｄに対して可動部３ｆを回動可能に支持する部位である。ヒンジ部３ｇは、本体部３ｄの第２閉鎖部３ｄｂと可動部３ｆとの間に介在し、第２閉鎖部３ｄｂに対して可動部３ｆを支持する。そして、ヒンジ部３ｇは、第２閉鎖部３ｄｂに対する可動部３ｆの回動軸を構成する。ここでは、ヒンジ部３ｇは、第１幅方向Ｙに沿って延在する薄肉部位（第２閉鎖部３ｄｂ、可動部３ｆの板厚よりも薄厚の部位）として形成され、第１幅方向Ｙに沿った回動軸を構成する。
【００３１】
上記のように構成される排気機構３０は、可動部３ｆがヒンジ部３ｇを回動中心として閉鎖位置と開放位置とに回動可能である。可動部３ｆの閉鎖位置とは、可動部３ｆにより開口部３ｅを閉鎖する位置である（図３、図５等参照）。一方、可動部３ｆの開放位置とは、可動部３ｆにより開口部３ｅを開放する位置である（図６、図７等参照）。本実施形態の排気機構３０は、収容空間部２３ａ内で可溶体が溶断する際に発生するガス（いわゆるアークガス）の圧力によって、可動部３ｆを閉鎖位置から開放位置に回動させる。これにより、排気機構３０は、収容空間部２３ａ内で可溶体２０が溶断した際に発生するガスを収容空間部２３ａ外に排出する構成を実現することができる。
【００３２】
ここでは、排気機構３０を構成する係止部３ａは、収容空間部２３ａ内で可溶体２０が溶断する際に発生するガスによって可動部３ｆに作用する圧力より小さな係止力で可動部３ｆを閉鎖位置に係止する。この構成により、排気機構３０は、可動部３ｆが係止部３ａによって閉鎖位置に係止されている状態で、可溶体２０が溶断しガスが発生すると、当該ガスの圧力によって係止部３ａによる係止を解除し、可動部３ｆを閉鎖位置から開放位置に回動させることができる。なお、カバー部材３は、樹脂材料によって形成されているので、可動部３ｆは、ガスの圧力によってヒンジ部３ｇの可撓変形により開放位置となった後、復元により再度閉鎖位置に位置させることも可能である。
【００３３】
以上で説明したＦＬユニット１は、カバー部材３によって、ユニット本体２に形成された収容空間部２３ａ、及び、当該収容空間部２３ａに収容された可溶体２０を覆い、当該可溶体２０を保護することができる。そして、ＦＬユニット１は、カバー部材３に設けられた排気機構３０によって、可溶体２０が溶断した際に発生するガスを速やかに収容空間部２３ａの外に排出することができる。この構成により、ＦＬユニット１は、当該発生したガスに起因する回路遮断の遅延を抑制するこができ、例えば、当該ガスを介して電流が流れるなどして回路遮断に遅延が発生することを抑制するこができる。例えば、ＦＬユニット１は、当該ＦＬユニット１が搭載される車両の車両システムの高電圧化に伴い可溶体２０の溶断時に相対的に電圧値の高いアークが発生し得る場合であっても、上記のようにアークの媒体となり得るガスを速やかに排出し回路遮断の遅延を抑制することができる。この結果、ＦＬユニット１は、回路遮断を適正に行うことができる。
【００３４】
ここでは、以上で説明したＦＬユニット１は、排気機構３０が開口部３ｅ、可動部３ｆ、ヒンジ部３ｇを含んで構成される。この構成により、ＦＬユニット１は、通常時においては可動部３ｆが閉鎖位置にて開口部３ｅを閉鎖することで、カバー部材３によって可溶体２０を確実に保護することができる。そして、ＦＬユニット１は、可動部３ｆが閉鎖位置にある状態で、可溶体２０が溶断しガス化されると、可動部３ｆによって閉鎖状態にある収容空間部２３ａの内圧が上昇する。そして、ＦＬユニット１は、当該ガスの圧力によって、可動部３ｆを閉鎖位置から開放位置に回動させることで、開口部３ｅが開放され、当該開口部３ｅを介して収容空間部２３ａの内外が連通される。この結果、ＦＬユニット１は、可溶体２０が溶断した際に発生するガスを、当該開口部３ｅを介して速やかに収容空間部２３ａの外に排出することができる。これにより、ＦＬユニット１は、上記のように回路遮断を適正に行うことができる。
【００３５】
さらに、以上で説明したＦＬユニット１は、係止部３ａによって可動部３ｆを確実に閉鎖位置に係止する一方、可溶体２０が溶断しガスが発生した際に当該ガスの圧力によって係止部３ａによる係止を解除し可動部３ｆを開放位置に回動させることができる。この結果、ＦＬユニット１は、カバー部材３による可溶体２０の保護と回路遮断の適正化とを確実に両立することができる。
【００３６】
［実施形態２］
実施形態２に係るヒュージブルリンクユニットは、排気機構の構成が実施形態１とは異なる。以下では、上述した実施形態と同様の構成要素には共通の符号が付されるとともに、共通する構成、作用、効果については、重複した説明はできるだけ省略する。
【００３７】
図８、図９に示す本実施形態のＦＬユニット（ヒュージブルリンクユニット）２０１は、カバー部材３にかえてカバー部材２０３を備える点で上述のＦＬユニット１と異なる。ＦＬユニット２０１のその他の構成は、当該ＦＬユニット１と略同様の構成である。カバー部材２０３は、本体部３ｄにかえて本体部２０３ｄを備え、排気機構３０にかえて排気機構２３０を備える点で上述のカバー部材３と異なる。カバー部材２０３のその他の構成は、当該カバー部材３と略同様の構成である。
【００３８】
本体部２０３ｄは、第２閉鎖部３ｄｂにかえて第２閉鎖部２０３ｄｂを備える点で上述のカバー部材３と異なる。本体部２０３ｄのその他の構成は、当該本体部３ｄと略同様の構成である。本実施形態の第２閉鎖部２０３ｄｂは、収容空間部２３ａの軸線方向Ｘの他方側（係止爪部２３ｂが位置する側）の開口の全体を閉鎖する部位であり、略矩形板状に形成される。本実施形態の第２閉鎖部２０３ｄｂは、第２幅方向Ｚに沿った長さが第１閉鎖部３ｄａと同等に形成されている。本体部２０３ｄは、全体として略Ｕ字型形状（略コの字型形状）に形成される。第２閉鎖部２０３ｄｂは、連結部３ｄｃ側とは反対側の端部に上述の係止部３ａが形成される。なお、本実施形態の係止部３ａは、可溶体２０が溶断する際に発生するガスによる圧力等にかかわらず、十分な係止力が確保できるように形成されている。
【００３９】
そして、本実施形態の排気機構２３０は、上述した開口部３ｅ、可動部３ｆ、ヒンジ部３ｇにかえてスリット２３０ａを含んで構成される点で上述の排気機構３０と異なる。排気機構２３０は、排気機構３０と同様に、収容空間部２３ａ内で可溶体２０が溶断した際に発生するガスを排出する機構である。本実施形態の排気機構２３０は、開口部３ｅ、可動部３ｆ、ヒンジ部３ｇにかえてスリット２３０ａによって当該機構が実現される。
【００４０】
スリット２３０ａは、カバー部材２０３の本体部２０３ｄに形成され、収容空間部２３ａの内外を連通する。本実施形態のスリット２３０ａは、本体部２０３ｄの第１閉鎖部３ｄａ、第２閉鎖部２０３ｄｂにそれぞれ複数形成される。ここでは、スリット２３０ａは、第１閉鎖部３ｄａ、第２閉鎖部２０３ｄｂにそれぞれ５つずつ、合計１０個形成される。各スリット２３０ａは、それぞれ第１閉鎖部３ｄａ、第２閉鎖部２０３ｄｂを貫通し、収容空間部２３ａの内部と外部とを連通する。各スリット２３０ａは、第１幅方向Ｙに沿って線状に形成される。複数のスリット２３０ａは、第１閉鎖部３ｄａ、第２閉鎖部２０３ｄｂそれぞれにおいて、第２幅方向Ｚに沿って間隔をあけて形成される。各スリット２３０ａは、第２幅方向Ｚに沿った幅が指や異物等が収容空間部２３ａの内部に入り込まない程度の細さとなるように形成される。またここでは、各スリット２３０ａは、軸線方向Ｘに対して傾斜して形成される。より詳細には、各スリット２３０ａは、第１閉鎖部３ｄａ、第２閉鎖部２０３ｄｂそれぞれにおいて、収容空間部２３ａの内部側の開口と外部側の開口とが第２幅方向Ｚに沿ってずれるような位置関係で、軸線方向Ｘに対して傾斜して形成される。
【００４１】
以上で説明したＦＬユニット２０１は、ＦＬユニット１と同様に、カバー部材２０３に設けられた排気機構２３０によって、可溶体２０が溶断した際に発生するガスを速やかに収容空間部２３ａの外に排出することができる。この結果、ＦＬユニット２０１は、回路遮断を適正に行うことができる。ここでは、以上で説明したＦＬユニット２０１は、排気機構２３０がスリット２３０ａを含んで構成される。この構成により、ＦＬユニット２０１は、カバー部材２０３によって可溶体２０を確実に保護すると共に可溶体２０の溶断時の飛散を防止した上で、可溶体２０が溶断しガス化されると、当該ガスを、当該スリット２３０ａを介して速やかに収容空間部２３ａの外に排出することができる。これにより、ＦＬユニット２０１は、上記のように回路遮断を適正に行うことができる。
【００４２】
なお、上述した本発明の実施形態に係るヒュージブルリンクユニットは、上述した実施形態に限定されず、特許請求の範囲に記載された範囲で種々の変更が可能である。本実施形態に係るヒュージブルリンクユニットは、以上で説明した各実施形態、変形例の構成要素を適宜組み合わせることで構成してもよい。
【００４３】
以上の説明では、ＦＬユニット１、２０１は、バッテリ１００の陽極側のバッテリポスト１０２に組み付けられるものとして説明したがこれに限らない。ＦＬユニット１、２０１は、例えば、バッテリ１００以外のものに組み付けられてもよい。
【００４４】
以上の説明では、カバー部材３、２０３は、略Ｕ字型形状（略コの字型形状）に形成されるものとして説明したがこれに限らない。以上の説明では、本体部３ｄ、２０３は、第１閉鎖部３ｄａ、第２閉鎖部３ｄｂ、２０３ｄｂ、連結部３ｄｃを含んで構成されものとして説明したがこれに限らない。以上の説明では、排気機構３０は、係止部３ａを含んで構成されるものとして説明したがこれに限らない。
【符号の説明】
【００４５】
１、２０１    ヒュージブルリンクユニット、ＦＬユニット
２    ユニット本体
３、２０３    カバー部材
３ａ、３ｂ、３ｃ    係止部
３ｄ、２０３ｄ    本体部
３ｅ    開口部
３ｆ    可動部
３ｇ    ヒンジ部
２０    可溶体
２１    バスバ回路体
２１ａ、２１ｂ    締結孔
２２    スタッドボルト
２３    ハウジング
２３ａ    収容空間部
２３ｂ、２３ｃ、２３ｄ    係止爪部
２３ｅ    梁状部
３０、２３０    排気機構
２３０ａ    スリット
Ｘ    軸線方向
Ｙ    第１幅方向
Ｚ    第２幅方向
【図１】
2020047415.tif 000003
【図２】
2020047415.tif 000004
【図３】
2020047415.tif 000005
【図４】
2020047415.tif 000006
【図５】
2020047415.tif 000007
【図６】
2020047415.tif 000008
【図７】
2020047415.tif 000009
【図８】
2020047415.tif 000010
【図９】
2020047415.tif 000011